(57)【要約】【課題】前掛けから簡単且つ迅速に鞄を製造することができる鞄の製造方法を提供する。【解決手段】鞄の製造方法は、上下左右方向を有する略矩形の布部と、該布部の上端から左右方向に向けてそれぞれ突出している紐部とを有する前掛けから製造される鞄の製造方法であって、前記布部を折り曲げて前記布部の上端側部分である上側部を前記布部の下端側部分である下側部に重ねる折り曲げ工程と、前記布部の重なり合った左右端部を互いに縫合する縫合工程と、前記布部の上端から左右方向にそれぞれ突出している紐部のそれぞれの端部を接合せずに離間させた状態として非接合部を形成する非接合部形成工程とを備えている。【選択図】        図１
2018033659.tif 000002
【特許請求の範囲】
【請求項１】
上下左右方向を有する略矩形の布部と、該布部の上端から左右方向に向けてそれぞれ突出している紐部とを有する前掛けから製造される鞄の製造方法であって、
前記布部を折り曲げて前記布部の上端側部分である上側部を前記布部の下端側部分である下側部に重ねる折り曲げ工程と、
前記布部の重なり合った左右端部を互いに縫合する縫合工程と、
前記布部の上端から左右方向にそれぞれ突出している紐部のそれぞれの端部を接合せずに離間させた状態として非接合部を形成する非接合部形成工程とを備えたことを特徴とする鞄の製造方法。
【請求項２】
前記折り曲げ工程に先立ち、前記紐部を前記前掛けから切断する切断工程を行い、
前記縫合工程にて、前記上側部と前記下側部とが互いに離間するように内部に厚みを設けて前記布部の左右側に側面部を形成し、
前記縫合工程の後、左右の前記側面部のそれぞれに前記紐部の一方の端部を縫合する紐部取付工程を行うことを特徴とする請求項１に記載の鞄の製造方法。
【発明の詳細な説明】
【技術分野】
【０００１】
本発明は、前掛けから製造できる鞄の製造方法に関するものである。
【背景技術】
【０００２】
鞄は簡便に製造できることが好ましい。このような鞄の製造に関する各工程を簡略化し、容易に鞄を製造できるようにした方法が開示されている（例えば特許文献１参照）。このとき、材料を新たに準備するのではなく、他の商品等を材料として鞄を製造できれば、簡便な製法と相俟ってさらに環境にとっても好ましい。現在、酒屋等で店員が装着している前掛けのリサイクル品が注目されている。したがって、この前掛け（帆前掛け）を材料とした簡便な鞄の製造方法があれば好ましい。このような前掛けを出発点とした鞄の製法については特許文献１には記載がない。
【先行技術文献】
【特許文献】
【０００３】
【特許文献１】実開平５−５８０２２号公報
【発明の概要】
【発明が解決しようとする課題】
【０００４】
本発明は、上記従来技術を考慮したものであり、前掛けから簡単且つ迅速に鞄を製造することができる鞄の製造方法を提供することを目的とする。
【課題を解決するための手段】
【０００５】
前記目的を達成するため、本発明では、上下左右方向を有する略矩形の布部と、該布部の上端から左右方向に向けてそれぞれ突出している紐部とを有する前掛けから製造される鞄の製造方法であって、前記布部を折り曲げて前記布部の上端側部分である上側部を前記布部の下端側部分である下側部に重ねる折り曲げ工程と、前記布部の重なり合った左右端部を互いに縫合する縫合工程と、前記布部の上端から左右方向にそれぞれ突出している紐部のそれぞれの端部を接合せずに離間させた状態として非接合部を形成する非接合部形成工程とを備えたことを特徴とする鞄の製造方法を提供する。
【０００６】
好ましくは、前記折り曲げ工程に先立ち、前記紐部を前記前掛けから切断する切断工程を行い、前記縫合工程にて、前記上側部と前記下側部とが互いに離間するように内部に厚みを設けて前記布部の左右側に側面部を形成し、前記縫合工程の後、左右の前記側面部のそれぞれに前記紐部の一方の端部を縫合する紐部取付工程を行う。
【発明の効果】
【０００７】
本発明によれば、前掛けを折り曲げて縫合するのみで簡単且つ迅速に鞄を製造することができる。また、非接合部を形成することで、左右の紐部を結んでその長さを調整できる。この長さ調整の自由度により、肩掛けの鞄にしたり、ウエストバッグにすることもできる。
【０００８】
また、紐部を側面部に縫合する紐部取付工程を行うことで、左右の紐部が側面部から一方向に延びることになる。このため、身体にフィットできるような紐部を形成できる。
【図面の簡単な説明】
【０００９】
【図１】本発明に係る鞄の製造方法のフローチャートである。
【図２】前掛けの概略図である。
【図３】折り曲げ工程及び縫合工程の説明図である。
【図４】非接合部形成工程の説明図である。
【図５】結び目を形成した鞄の概略図である。
【図６】本発明に係る別の鞄の製造方法のフローチャートである。
【図７】側面図を形成した状態の縫合工程の説明図である。
【図８】紐部取付工程を施した鞄の概略側面図である。
【図９】紐部取付工程を施した鞄の概略正面図である。
【発明を実施するための形態】
【００１０】
図１に示すように、本発明に係る鞄の製造方法は、以下のフローチャートからなる。この方法を行うにあたり、図２に示すように、まず前掛け１を用意する。この前掛け１は酒屋等で用いられているような帆前掛けを用いることが好ましい。前掛け１は、上下左右方向を有する略矩形の布部２と、この布部２の上端から左右方向に向けてそれぞれ突出している紐部３とを有している。紐部３は図で示したように、布部２の上端全域に沿って設けられていてもよいし、左右端部からそれぞれ突出するように別々に設けられていてもよい。布部２は、紐部３が取り付けられている上端側部分である上側部２ａと、下端側部分である下側部２ｂとがある。
【００１１】
このような前掛け１を用意したら、まず折り曲げ工程を行う（ステップＳ１）。この折り曲げ工程では、布部２を折り曲げて上側部２ａを下側部２ｂに重ねる。この折り曲げ工程では、布部２の上端と下端とが揃うように折り曲げてもよいし、図３に示すように布部２の下端側が少し突出するように折り曲げてもよい。この少し突出した下端側の部分は将来鞄となった際に鞄のカバー（フラップ４）となる。すなわち、上側部２ａと下側部２ｂとは明確に区切られてなく、製造すべき鞄の形状に応じて折り曲げ線６の位置が変わるということになる。
【００１２】
次に、縫合工程を行う（ステップＳ２）。この縫合工程では、布部２の重なり合った左右端部を互いに縫合する。この縫合は、図３に示すように単純に上側部２ａと下側部２ｂが重なった左右両側を外側から縫う（外縫い）ことで縫い代５を形成しても
よいし、縫い代が内側に来るように縫ってもよい（内縫い）。要は、この縫合工程では、上側部２ａと下側部２ｂとの左右両端を縫合してその内部を袋状とする。
【００１３】
次に、非接合部形成工程を行う（ステップＳ３）。この非接合部形成工程では、布部２の上端から左右方向にそれぞれ突出している紐部３のそれぞれの端部を接合せずに離間させた状態として非接合部８を形成する。図４に示すように、紐部３の突出側の端部同士は互いに関連することなく、離間した状態となる。なお、図４ではフラップ４を折り曲げた状態を示している。
【００１４】
以上の工程により、前掛け１を折り曲げて縫合するのみで簡単且つ迅速に鞄７を製造できる。鞄７は図４の状態で持ち歩いてもよいし、その際に紐部３を互いに結んで肩掛けにしたり、腰等に巻き付けてウエストバッグのようにしてもよい。すなわち、非接合部８を設けることで、使用すべき鞄の種類を選べることができる。またこの紐部３は元々は前掛け１で腰巻き用に形成されていた紐であるため、結びやすい性質をそのまま利用でき、したがって結ぶこと自体に困難性はない。さらに、左右の紐部３を結んでその長さを調整できるので、種々の長さを選択できる。この長さの自由度を調整できることにより、鞄７を使用する人の体型や使用すべき鞄の種類に適宜応じることができる。例えば図５に示すように、紐部３同士を結んで予め結び目９を形成すれば、斜めがけのバッグとして利用できる。ウエストバッグとする場合には、予め布部２を身体に当てて、その状態で腰回りにフィットするような長さとして結び目を形成する。
【００１５】
本発明に係る鞄の製造方法は、図６に示すフローチャートでも実施可能である。基本的には上述した図１に基づく方法と同様であるが、以下の部分が異なる。まず、折り曲げ工程に先立ち、紐部３を前掛け１から切断する切断工程を行う（ステップＴ１）。これにより、前掛け１は布部２と左右の紐部３とに分離される。そして、布部２に対して折り曲げ工程を行う（ステップＴ２）。この工程は上述したステップＳ１の工程と同様である。そして、縫合工程を行う（ステップＴ３）。この工程も、上述したステップＳ２の工程と同様であるが、この縫合の際、上側部２ａと下側部２ｂとが互いに離間するように内部に厚みを設けて縫合する。これにより、布部２の左右側には側面部１０が形成される。この側面部１０は上側部２ａと下側部２ｂとの左右側縁を内縫いすることで多少の幅として形成されるものである。図７では、上側部２ａ側に突出するようにして形成した例を示している。
【００１６】
そして、縫合工程の後、紐部取付工程を行う（ステップＴ４）。この紐部取付工程は、左右の側面部１０のそれぞれに紐部３の一方の端部を縫合する工程である。すなわち、切断工程で切断された紐部３は、図８及び図９に示すように、その一端が側面部１０の上端側に取り付けられ、紐部３としては上方に延びるように形成される。このように、紐部３を側面部１０に縫合する紐部取付工程を行うことで、左右の紐部３が側面部から一方向（上方）に延びることになる。そして、非接合部形成工程を行う（ステップＴ５）。この工程は、上述したステップＳ３の工程と同様である。側面部１０の上端側から紐部３が延びていることは、特に肩掛け（斜めがけ）のバッグとして利用する際に、身体にフィットできるような紐部３のラインを形成でき、取扱い性が向上する。
【符号の説明】
【００１７】
１：前掛け、２：布部、２ａ：上側部、２ｂ：下側部、３：紐部、４：フラップ、５：縫い代、６：折り曲げ線、７：鞄、８：非接合部、９：結び目、１０：側面部、
【図１】
2018033659.tif 000003
【図２】
2018033659.tif 000004
【図３】
2018033659.tif 000005
【図４】
2018033659.tif 000006
【図５】
2018033659.tif 000007
【図６】
2018033659.tif 000008
【図７】
2018033659.tif 000009
【図８】
2018033659.tif 000010
【図９】
2018033659.tif 000011